(57)【特許請求の範囲】
【請求項１】
バッテリへの充電及び前記バッテリからの給電が可能であり、前記バッテリからの給電時に家庭内の機器へ電力を供給する電力モジュールと、
前記電力モジュール及び前記家庭内の機器との通信するエネルギー管理装置であって、外部の電力供給網からの電力供給の停止に伴い、前記バッテリからの電力供給を受けると共に、前記バッテリの残量に関する情報を含むバッテリ情報を前記電力モジュールから取得するエネルギー管理装置と、
前記エネルギー管理装置と無線通信すると共に、公衆網を介して外部サーバと通信するユーザ端末と
を備える情報処理システムであって、
前記エネルギー管理装置は、前記電力供給網からの電力供給の停止に伴い取得した前記バッテリ情報を、前記無線通信により前記ユーザ端末に送信すると共に、
前記ユーザ端末は、自装置の位置情報と前記バッテリ情報とを含むステータス情報を前記外部サーバに前記公衆網を介して送信する、
情報処理システム。
【請求項２】
前記エネルギー管理装置は、前記電力供給網からの電力供給の停止に伴い取得した前記バッテリ情報を、前記無線通信により前記ユーザ端末に送信すると共に、インターネットを介して前記外部サーバに送信する、
請求項１記載の情報処理システム。
【請求項３】
前記ユーザ端末は、ユーザの氏名を特定するための情報を含む前記ステータス情報を前記外部サーバに送信する、
請求項１又は請求項２記載の情報処理システム。
【請求項４】
バッテリへの充電及び前記バッテリからの給電が可能であり、前記バッテリからの給電時に家庭内の機器へ電力を供給する電力モジュール、及び前記家庭内の機器との通信するエネルギー管理装置であって、外部の電力供給網からの電力供給の停止に伴い、前記バッテリからの電力供給を受けると共に、前記バッテリの残量に関する情報を含むバッテリ情報を前記電力モジュールから取得するエネルギー管理装置と、
前記エネルギー管理装置と無線通信する機能と、公衆網を介して外部サーバと通信する機能とをユーザ端末に実行させるためのプログラムと
を備える家庭内電力管理システムであって、
前記エネルギー管理装置は、前記電力供給網からの電力供給の停止に伴い取得した前記バッテリ情報を、前記無線通信により前記ユーザ端末に送信すると共に、
前記プログラムは、自装置の位置情報と前記バッテリ情報とを含むステータス情報を前記外部サーバに前記公衆網を介して前記ユーザ端末に送信させる、
家庭内電力管理システム。
【請求項５】
前記エネルギー管理装置は、前記電力供給網からの電力供給の停止に伴い取得した前記バッテリ情報を、前記無線通信により前記ユーザ端末に送信すると共に、インターネットを介して前記外部サーバに送信する、
請求項４記載の家庭内電力管理システム。
【請求項６】
前記プログラムは、ユーザの氏名を特定可能な情報を含む前記ステータス情報を前記ユーザ端末から前記外部サーバへ送信させる、
請求項４又は請求項５記載の家庭内電力管理システム。
【請求項７】
外部の電力供給網からの電力供給の停止に伴い、電力モジュールがバッテリからの給電を受けて家庭内の機器へ電力供給するステップと、
前記電力供給網からの電力供給の停止及び電力モジュールからの電力供給に伴い、エネルギー管理装置が前記バッテリの残量に関する情報を含むバッテリ情報を前記電力モジュールから取得するステップと、
前記エネルギー管理装置が、前記電力供給網からの電力供給の停止に伴い取得した前記バッテリ情報を無線通信を介してユーザ端末に送信するステップと、
前記ユーザ端末が、自装置の位置情報を取得するステップと、
前記ユーザ端末が、前記位置情報と前記バッテリ情報とを含むステータス情報を公衆網を介して外部サーバに送信するステップと
を情報処理システムが実行する情報処理方法。
【発明の詳細な説明】
【技術分野】
【０００１】
本発明に係るいくつかの態様は、情報処理システム、家庭内電力管理システム、及び情報処理方法に関する。
【背景技術】
【０００２】
近年、災害発生時等に、各種情報を通知するシステムが考えられている。例えば特許文献１には、指定エリアに位置する通知先を検索し、検索された通知先の電話端末と呼を確立した上で、防災情報及び災害対応に対する確認応答の問合せを含む音声ガイダンスを再生して送信することを可能とする防災情報通知システムが記載されている。
【先行技術文献】
【特許文献】
【０００３】
【特許文献１】特開２０１７−０３８３０９号公報
【発明の概要】
【発明が解決しようとする課題】
【０００４】
ここで、家庭で地震などの災害に遭遇した場合、電力会社からの電力供給網を介した電力供給が停止する場合がある。このように電力供給網からの電力供給が停止した場合であっても、家庭内のバッテリ（例えば、電気自動車のバッテリ）の使用が可能であれば、その残量がなくなるまでは電気の使用が可能であるため、一定期間救援が遅れたとしても住民の生存可能性が高いといえる。逆に、バッテリの残量が少なければ救援の必要性が高いといえる。しかしながら、特許文献１では、このような住民の家庭内での電気の継続使用の可否については何ら考慮されていない。
【０００５】
本発明のいくつかの態様は前述の課題に鑑みてなされたものであり、電力の継続利用の可否を外部から確認することを可能とする情報処理システム、家庭内電力管理システム、及び情報処理方法を提供することを目的の１つとする。
【課題を解決するための手段】
【０００６】
本発明に係る情報処理システムは、バッテリへの充電及び前記バッテリからの給電が可能であり、前記バッテリからの給電時に家庭内の機器へ電力を供給する電力モジュールと、前記電力モジュール及び前記家庭内の機器との通信するエネルギー管理装置であって、外部の電力供給網からの電力供給の停止に伴い、前記バッテリからの電力供給を受けると共に、前記バッテリの残量に関する情報を含むバッテリ情報を前記電力モジュールから取得するエネルギー管理装置と、前記エネルギー管理装置と無線通信すると共に、公衆網を介して外部サーバと通信するユーザ端末とを備える情報処理システムであって、前記エネルギー管理装置は、前記電力供給網からの電力供給の停止に伴い取得した前記バッテリ情報を、前記無線通信により前記ユーザ端末に送信すると共に、前記ユーザ端末は、自装置の位置情報と前記バッテリ情報とを含むステータス情報を前記外部サーバに前記公衆網を介して送信する。
【０００７】
本実施形態に係る家庭内電力管理システムは、バッテリへの充電及び前記バッテリからの給電が可能であり、前記バッテリからの給電時に家庭内の機器へ電力を供給する電力モジュール、及び前記家庭内の機器との通信するエネルギー管理装置であって、外部の電力供給網からの電力供給の停止に伴い、前記バッテリからの電力供給を受けると共に、前記バッテリの残量に関する情報を含むバッテリ情報を前記電力モジュールから取得するエネルギー管理装置と、前記エネルギー管理装置と無線通信する機能と、公衆網を介して外部サーバと通信する機能とをユーザ端末に実行させるためのプログラムとを備える家庭内電力管理システムであって、前記エネルギー管理装置は、前記電力供給網からの電力供給の停止に伴い取得した前記バッテリ情報を、前記無線通信により前記ユーザ端末に送信すると共に、前記プログラムは、自装置の位置情報と前記バッテリ情報とを含むステータス情報を前記外部サーバに前記公衆網を介して前記ユーザ端末に送信させる。
【０００８】
本実施形態に係る情報処理方法は、外部の電力供給網からの電力供給の停止に伴い、電力モジュールがバッテリからの給電を受けて家庭内の機器へ電力供給するステップと、前記電力供給網からの電力供給の停止及び電力モジュールからの電力供給に伴い、エネルギー管理装置が前記バッテリの残量に関する情報を含むバッテリ情報を前記電力モジュールから取得するステップと、前記エネルギー管理装置が、前記電力供給網からの電力供給の停止に伴い取得した前記バッテリ情報を無線通信を介してユーザ端末に送信するステップと、前記ユーザ端末が、自装置の位置情報を取得するステップと、前記ユーザ端末が、前記位置情報と前記バッテリ情報とを含むステータス情報を公衆網を介して外部サーバに送信するステップとを情報処理システムが実行する。
【０００９】
なお、本発明において、「部」や「手段」、「装置」、「システム」とは、単に物理的手段を意味するものではなく、その「部」や「手段」、「装置」、「システム」が有する機能をソフトウェアによって実現する場合も含む。また、１つの「部」や「手段」、「装置」、「システム」が有する機能が２つ以上の物理的手段や装置により実現されても、２つ以上の「部」や「手段」、「装置」、「システム」の機能が１つの物理的手段や装置により実現されても良い。
【図面の簡単な説明】
【００１０】
【図１】実施形態に係る災害対応システム１の構成例を示す図である。
【図２】図１に示した災害対応システム１を構成する装置の機能構成の具体例を示す図である。
【図３】図１に示した災害対応システム１の処理の流れを示すシーケンス図である。
【図４】図１に示した災害対応システム１に含まれる装置のハードウェア構成の具体例を示す図である。
【発明を実施するための形態】
【００１１】
以下、図面を参照して本発明の実施形態を説明する。ただし、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
図１乃至図４は、実施形態を説明するための図である。以下、これらの図を参照しながら実施形態を説明する。
【００１２】
（１．概要）
まず、図１を参照しながら、実施形態に係る災害対応システム１の構成の概要を説明する。災害対応システム１は、大きく分けて、家庭内システム１００と、電力会社の管理する電力会社サーバＥＣと、防災センタの管理する防災センタサーバＤＣＣとを含む。なお、図１には家庭内システム１００、電力会社サーバＥＣ、及び防災センタサーバＤＣＣを各々１つずつしか図示していないが、災害対応システム１は家庭内システム１００、電力会社サーバＥＣ、及び防災センタサーバＤＣＣをそれぞれ複数含んでも良い。
【００１３】
家庭内システム１００内のエネルギー管理装置１４０は、インターネットＩを介して電力会社サーバＥＣや防災センタサーバＤＣＣと通信可能である。また、家庭内システム１００等で使用可能な携帯電話２００は、携帯電話網Ｃ及びインターネットＩを介して電力会社サーバＥＣ及び防災センタサーバＤＣＣと通信可能である。
【００１４】
また、家庭内システム１００内の各機器は、電力供給網Ｇからの電力供給を受ける。より詳細には、電力供給網Ｇから供給された電力は、スマートメータ１１０を経由してまずは分電盤１２０に供給され、さらに、分電盤１２０から家庭内の各機器（図１の例では、電力モジュール１３０、エネルギー管理装置１４０、及び家電機器１５０）に電力が供給される。
【００１５】
スマートメータ１１０は、家庭内システム１００での電力使用量を計測するためのメータである。スマートメータ１１０は、計測した電力使用量を、家庭内ネットワークＬ（ＬＡＮ：Ｌｏｃａｌ  Ａｒｅａ  Ｎｅｔｗｏｒｋ）に接続された各機器（例えばエネルギー管理装置１４０）や、インターネットＩを介して通信可能な外部サーバ等へ通知することが可能である。
【００１６】
分電盤１２０は、電力供給網Ｇからスマートメータ１１０を介して供給される電力を、家庭内の各機器に供給する。図１の例では、分電盤１２０は、電力モジュール１３０、エネルギー管理装置１４０、１以上の家電機器１５０、及びルータＲに電力を供給している。
【００１７】
電力モジュール１３０は、電気自動車ＥＶへと電力を供給し、電気自動車ＥＶに搭載されたバッテリに充電可能な充電器として機能するモジュールである。また電力モジュール１３０は、災害等に伴う停電により電力供給網Ｇからの電力が供給が途絶えた場合に、ＥＶに搭載されたバッテリから電力の供給を受け、分電盤１２０を介して家庭内システム１００の各機器に電力を供給することも可能である。
【００１８】
なお、電力モジュール１３０は、電気自動車ＥＶとの間で、給電ケーブルを介して電力のやり取りをするのみならず、制御信号のやり取りを行うことも可能である。例えば、電気自動車ＥＶの情報（車両ＩＤ等）やバッテリの残量等の情報を電力モジュール１３０は給電ケーブルを介して取得することができる。
【００１９】
エネルギー管理装置１４０は、ＨＥＭＳ（Ｈｏｍｅ  Ｅｎｅｒｇｙ  Ｍａｎａｇｅｍｅｎｔ  Ｓｙｓｔｅｍ）のための管理装置であり、スマートメータ１１０で計測した電力使用量の管理及びユーザＵへの情報提供や、家庭内ネットワークＬを介して接続された各機器（例えば、電力モジュール１３０や家電機器１５０）の制御（電源ＯＮ／ＯＦＦ、設定変更等）等が可能である。例えば、災害等に伴う停電等により電力供給網Ｇからの電力供給が停止している場合には、エネルギー管理装置１４０は、電気自動車ＥＶに関する各種情報（車両ＩＤやバッテリ残量など。以下「バッテリ情報」ともいう。）の情報を電力モジュール１３０に取得させることもできる。
【００２０】
エネルギー管理装置１４０は、例えば災害等に伴う停電により電力供給が停止している場合には、電力モジュール１３０からバッテリ情報を取得し、このバッテリ情報を含む情報を家庭内ネットワークＬ、ルータＲ、及びインターネットＩを介して電力会社サーバＥＣ及び防災センタサーバＤＣＣへと送信することができる。電力会社サーバＥＣ及び防災センタサーバＤＣＣへ送信する情報としては、バッテリ情報の他、例えば、エネルギー管理装置１４０に位置情報やユーザ情報等が予め登録されていれば、それらの情報を含むことができる。
【００２１】
さらに、エネルギー管理装置１４０は、Ｂｌｕｅｔｏｏｔｈ（登録商標）やＷｉ−Ｆｉ等の無線通信により、ユーザＵが有する携帯電話２００との通信が可能である。例えば、災害等に伴う停電により電力供給網Ｇからの電力供給が停止している場合には、エネルギー管理装置１４０は電気自動車ＥＶから取得したバッテリ情報をＢｌｕｅｔｏｏｔｈ等の無線通信により携帯電話２００に送信することができる。携帯電話２００は、受信したバッテリ情報に加え、ＧＰＳ（Ｇｌｏｂａｌ  Ｐｏｓｉｔｉｏｎｉｎｇ  Ｓｙｓｔｅｍ）により取得した自装置の位置情報（緯度経度情報）や予め携帯電話２００のアプリケーションプログラム（以下「アプリ」ともいう。）に登録されたユーザ情報（氏名やユーザＩＤ等、ユーザＵを特定しうる情報）と共に、ステータス情報として電力会社サーバＥＣや防災センタサーバＤＣＣへと送信する。特に、停電発生時には、家庭内システム１００から直接アクセス可能なインターネットＩを介した通信も利用できないことが多いが、携帯電話網Ｃについては基地局がバッテリ等で動作することが多いため、停電発生時でも利用可能であることが多い。よって、エネルギー管理装置１４０は、携帯電話２００及び携帯電話網Ｃを介してバッテリ情報を含む情報を送信することで、電力会社サーバＥＣや防災センタサーバＤＣＣにバッテリ情報を含む各種情報が到達する可能性を高めることができる。当該バッテリ情報を含むユーザＵ及び家庭内システム１００の情報を電力会社サーバＥＣや防災センタサーバＤＣＣで受信できれば、電力会社や防災センタの職員は、ユーザＵがどこにいるかや、あとどの程度電力を継続利用できるか等の情報を把握可能となる。
【００２２】
なお、エネルギー管理装置１４０から携帯電話２００へのバッテリ情報の送信方法は、１対１の通信であるか、ブロードキャストであるかを問わない。ブロードキャストの場合には、家庭内に複数台の携帯電話２００がある場合に、それらの携帯電話２００の各々にバッテリ情報を送信し、さらに各々電力会社サーバＥＣや防災センタサーバＤＣＣにバッテリ情報を含む情報を送信することが可能となる。これにより、電力会社サーバＥＣや防災センタサーバＤＣＣに情報が到達する可能性をさらに高めることができる。
【００２３】
家電機器１５０は、分電盤１２０からの電力供給を受けて動作する各種機器であり、例えば、冷蔵庫、洗濯機、エアーコンディショナ、照明等であることが考えられる。図１では、家電機器１５０は１つしか図示していないが、家庭内システム１００内には複数台の家電機器１５０を含むことができる。家電機器１５０は家庭内ネットワークＬに接続されており、エネルギー管理装置１４０やその他の機器と制御信号等を通信することができる。
【００２４】
携帯電話２００は、ユーザＵが使用する可搬型の電話機であり、携帯電話網Ｃを介して通話及びデータ通信が可能である。携帯電話２００には予めアプリがインストールされており、エネルギー管理装置１４０からバッテリ情報を受信すると、携帯電話２００の位置情報を取得し、当該位置情報及びバッテリ情報、並びにユーザＵの氏名等であるユーザ情報を含むステータス情報を、携帯電話網Ｃ及びインターネットＩを介して、予め登録された電力会社サーバＥＣ及び／又は防災センタサーバＤＣＣに送信することができる。
【００２５】
（２．機能構成）
次に、図２を参照しながら、電力モジュール１３０、エネルギー管理装置１４０、及び携帯電話２００にインストールされるアプリ２１０の機能構成について説明する。なお、エネルギー管理装置１４０と携帯電話２００（及び／又はアプリ２１０）からなるシステムを家庭内電力管理システム２０とも言う。
【００２６】
（２．１  電力モジュール１３０）
まず、電力モジュール１３０の機能構成について説明する。電力モジュール１３０は、図２に示すように、車両充放電部１３１と、車両制御部１３３と、緊急時電源回復部１３５と、バッテリ情報通知部１３７とを含む。
【００２７】
車両充放電部１３１は、電力モジュール１３０が電力供給網Ｇから分電盤１２０を介して電力供給を受けている際に、給電ケーブルで接続された電気自動車ＥＶに対し当該給電ケーブルを介して給電する。また、例えば災害等に伴う停電により、電力供給網Ｇからの電力供給が停止している場合には、給電ケーブルで接続された電気自動車ＥＶから電力供給を受け、分電盤１２０を介して家庭内システム１００を構成する各機器に電力を供給する。
【００２８】
車両制御部１３３は、給電ケーブルを介して接続される電気自動車ＥＶと制御信号を通信することにより、電気自動車ＥＶから各種情報を取得したり、あるいは電気自動車ＥＶに対する制御を行ったりする。例えば、車両制御部１３３は、電気自動車ＥＶから、電気自動車ＥＶに割り当てられた車両の識別子（Ｃａｒ  ＩＤ）や、バッテリの容量、充電に要する時間、充電割合（全容量に占める現在の充電量の割合）等の情報を取得することができる。
【００２９】
緊急時電源回復部１３５は、電力供給網Ｇからの電力供給が停止している際に、車両充放電部１３１が電気自動車ＥＶからの電力供給を受けるように制御する。より具体的には、緊急時電源回復部１３５は、例えば、停電時にユーザＵが電力モジュール１３０に配置されたボタンを操作したり、あるいは図示しないセンサ等で停電を検出したりした際に、車両充放電部１３１が電気自動車ＥＶのバッテリから電力供給を受けるように制御すれば良い。後者については、例えば電力モジュール１３０内にバッテリ等を内蔵しておけば実現可能である。
【００３０】
バッテリ情報通知部１３７は、例えば、エネルギー管理装置１４０からの要求に伴い、車両制御部１３３を用いて電気自動車ＥＶからバッテリに関するバッテリ情報を取得し、当該バッテリ情報をエネルギー管理装置１４０へと通知する。バッテリ情報には電気自動車ＥＶに割り当てられた車両の識別子やバッテリの残量等に関する情報（例えば、バッテリの容量及び充電割合）を含むことができる。
【００３１】
（２．２  エネルギー管理装置１４０）
エネルギー管理装置１４０は、図２に示すように、家庭内機器管理部１４１、バッテリ情報取得部１４３、電力情報通知部１４５、及び設定情報１４７を含むことができる。
【００３２】
家庭内機器管理部１４１は、家庭内ネットワークＬに接続された各機器（図１の例では、スマートメータ１１０、電力モジュール１３０、家電機器１５０、ルータＲ）と通信することにより、家庭内システム１００を構成する各機器をＨＥＭＳとして機能させるための制御を行う。より具体的には、スマートメータ１１０で計測した電力使用量の管理／ユーザＵへの提供や、家庭内ネットワークＬを介して接続された各機器の制御（電源ＯＮ／ＯＦＦ、設定変更など）を行う。
【００３３】
バッテリ情報取得部１４３は、電力モジュール１３０から電気自動車ＥＶのバッテリに関する各種情報を取得する。より具体的には、例えば、災害等による停電により電力供給網Ｇからの電力供給が停止した後、電力モジュール１３０が電気自動車ＥＶのバッテリの放電により、エネルギー管理装置１４０を含む家庭内システム１００内の各機器が使用可能になると、バッテリ情報取得部１４３は電力モジュール１３０から、電気自動車ＥＶのバッテリに関するバッテリ情報を取得することができる。バッテリ情報には、先述の通り、電気自動車ＥＶに割り当てられた識別子の情報やバッテリ残量等の情報（例えば、バッテリの容量及び充電割合）を含むことができる。
【００３４】
電力情報通知部１４５は、バッテリ情報取得部１４３が電力モジュール１３０から取得した、電気自動車ＥＶのバッテリに関するバッテリ情報を含む電力情報を、電力会社サーバＥＣや防災センタサーバＤＣＣ、携帯電話２００などへ通知する。より具体的には、電力会社サーバＥＣや防災センタサーバＤＣＣに電力情報を通知する際には、電力情報通知部１４５は、設定情報１４７に含まれる電力会社サーバＥＣや防災センタサーバＤＣＣのアドレスに向けて、家庭内ネットワークＬ、ルータＲ及びインターネットＩを介して、電力情報を送信すれば良い。なお、電力情報には、バッテリ情報の他、例えば、設定情報１４７に含まれうる、家庭内システム１００を使用するユーザＵ（家屋の居住者）を特定するための情報や、家屋の位置に相当する位置情報（緯度経度情報）等を含むことが考えられる。
【００３５】
また電力情報通知部１４５は、電力情報を携帯電話２００にも通知することができる。先述の通り、携帯電話２００への通知方法は、ブロードキャストであるか１対１の通信であるかは問わない。
【００３６】
設定情報１４７は、エネルギー管理装置１４０が動作するために管理される各種情報である。設定情報１４７には、例えば、電力会社サーバＥＣ及び／又は防災センタサーバＤＣＣへ電力情報を通知するためのアドレス情報や、エネルギー管理装置１４０が使用される家屋のユーザＵの情報、家屋の位置に相当する位置情報（緯度経度情報）等を含むことが考えられる。
【００３７】
（２．３  携帯電話２００）
携帯電話２００は、アプリ２１０による制御のもと動作する可搬型の携帯電話機である。携帯電話２００を制御するアプリ２１０は、図２に示すように、電力情報受信部２１１、位置情報取得部２１３、ステータス情報通知部２１５、及び設定情報２１７を含む。
【００３８】
電力情報受信部２１１は、エネルギー管理装置１４０から電力情報を受信する。先述の通り、電力情報には、電気自動車ＥＶのバッテリに関する情報であるバッテリ情報が含まれ、例えば、電気自動車ＥＶの識別子の情報やバッテリ残量の情報等を含みうる。
位置情報取得部２１３は、例えばＧＰＳ等により、自装置の位置情報（緯度経度情報）を取得する。
【００３９】
ステータス情報通知部２１５は、電力情報受信部２１１が受信した、バッテリ情報を含む電力情報と、及び位置情報取得部２１３が取得した位置情報とを含みうるステータス情報を、電力会社サーバＥＣ及び／又は防災センタサーバＤＣＣへと通知する。
【００４０】
設定情報２１７は、アプリ２１０が動作する上で必要な各種情報である。設定情報２１７には、例えば、電力会社サーバＥＣ及び／又は防災センタサーバＤＣＣへステータス情報を通知するためのアドレス情報等を含むことが考えられる。
【００４１】
（３  処理の流れ）
以下、災害対応システム１における処理の流れを、図３を参照しながら説明する。図３は、本実施形態に係る災害対応システム１の処理の流れを示すシーケンス図である。
【００４２】
なお、後述の各処理ステップは、処理内容に矛盾を生じない範囲で、任意に順番を変更して若しくは並列に実行することができ、また、各処理ステップ間に他のステップを追加しても良い。さらに、便宜上１つのステップとして記載されているステップは複数のステップに分けて実行することもでき、便宜上複数に分けて記載されているステップを１ステップとして実行することもできる。
【００４３】
災害等に伴う停電が発生し、電力供給網Ｇからの電力供給が停止し、例えば、ユーザＵは電力モジュール１３０のボタンを押下したり、あるいは内蔵するセンサ等で停電が検知されたり等すると、緊急時電源回復部１３５は、車両充放電部１３１が電気自動車ＥＶのバッテリからの電力供給を受けるように制御する（Ｓ３０１）。電気自動車ＥＶからの電力供給が開始すると、電力モジュール１３０は、分電盤１２０を介して、エネルギー管理装置１４０を含む家庭内の各機器への電力供給を開始する（Ｓ３０３）。
【００４４】
エネルギー管理装置１４０のバッテリ情報取得部１４３は、電力モジュール１３０からの電力供給により動作が再開すると、バッテリ情報の取得を電力モジュール１３０に要求する（Ｓ３０５）。電力モジュール１３０の車両制御部１３３は、当該指示に基づき、給電ケーブルの制御線を介して、電気自動車ＥＶからバッテリ情報を取得する（Ｓ３０７）。先述のとおり、バッテリ情報には、電気自動車ＥＶに割り当てられた識別子（車両ＩＤ）の情報やバッテリ残量の情報（バッテリ容量の情報及び残割合の情報であってもよい）等を含むことができる。電力モジュール１３０のバッテリ情報通知部１３７は、電気自動車ＥＶから取得したバッテリ情報を、エネルギー管理装置１４０へと家庭内ネットワークＬを介して通知する（Ｓ３０９）。
【００４５】
エネルギー管理装置１４０の電力情報通知部１４５は、バッテリ情報を含む電力情報を、インターネットＩ経由で電力会社サーバＥＣ及び／又は防災センタサーバＤＣＣへと送信する（Ｓ３１３）。電力情報には、バッテリ情報の他、例えば、設定情報１４７として予め登録されているユーザＵの情報（氏名など）、家屋の位置に相当する位置情報等を含むことができる。なお、もし設定情報１４７にこれらの情報が含まれていなければ、電力情報はバッテリ情報と同じ内容とすることもできる。また電力情報通知部１４５は、Ｂｌｕｅｔｏｏｔｈ等の無線通信により、携帯電話２００に対しても電力情報を通知する（Ｓ３１５）。
【００４６】
携帯電話２００内のアプリ２１０が有する電力情報受信部２１１が、エネルギー管理装置１４０から電力情報を受信すると（Ｓ３１７）、位置情報取得部２１３は、自装置の位置情報を取得する（Ｓ３１９）。また、ステータス情報通知部２１５は、設定情報２１７から、アプリ２１０に予め登録されたユーザＵの情報等を読込み（Ｓ３２１）、電力情報受信部２１１が受信したバッテリ情報を含む電力情報、及び位置情報取得部２１３が取得した位置情報と共にステータス情報を生成し、電力会社サーバＥＣ及び／又は防災センタサーバＤＣＣへと当該ステータス情報を通知する（Ｓ３２３）。
【００４７】
（４  ハードウェア構成）
次に、図４を参照しながら、電力モジュール１３０やエネルギー管理装置１４０、携帯電話２００を実現可能なハードウェア構成について説明する。図４は、電力モジュール１３０やエネルギー管理装置１４０、携帯電話２００を実現可能なコンピュータ４００のハードウェア構成の具体例を示す図である。
【００４８】
コンピュータ４００は、制御部４０１と、通信インタフェース（Ｉ／Ｆ）部４０５と、記憶部４０７と、表示部４０９と、入力部４１１とを含み、各部はバスライン４１３を介して接続される。
【００４９】
制御部４０１は、ＣＰＵ（Ｃｅｎｔｒａｌ  Ｐｒｏｃｅｓｓｉｎｇ  Ｕｎｉｔ。図示せず）、ＲＯＭ（Ｒｅａｄ  Ｏｎｌｙ  Ｍｅｍｏｒｙ。図示せず）、ＲＡＭ（Ｒａｎｄｏｍ  Ａｃｃｅｓｓ  Ｍｅｍｏｒｙ）４０３等を含む。制御部４０１は、記憶部４０７に記憶されるプログラム５００を実行することにより、一般的な情報処理装置としての機能に加え、上述した災害対応時の処理を実現可能に構成される。例えば、コンピュータ４００が図２を参照しながら説明した電力モジュール１３０を実現する場合には、車両充放電部１３１、車両制御部１３３、緊急時電源回復部１３５、及びバッテリ情報通知部１３７は、ＲＡＭ４０３に一次記憶された上で、ＣＰＵ上で動作するプログラム５００として実現可能である。また同様に、コンピュータ４００がエネルギー管理装置１４０を実現する場合には、家庭内機器管理部１４１、バッテリ情報取得部１４３、及び電力情報通知部１４５も、ＲＡＭ４０３に一次記憶された上でＣＰＵ上で動作するプログラム５００として実現可能である。さらに、コンピュータ４００が携帯電話２００を実現する場合には、アプリ２１０は、ＲＡＭ４０３に一次記憶された上でＣＰＵ上で動作するプログラム５００として実現可能である。
【００５０】
また、ＲＡＭ４０３は、プログラム５００に含まれるコードの他、図２に示した設定情報１４７や設定情報２１７等の各種情報の一部又は全部を一次的に保持する。さらにＲＡＭ４０３は、ＣＰＵが各種処理を実行する際のワークエリアとしても使用される。
【００５１】
通信Ｉ／Ｆ部４０５は、外部装置との間で、有線又は無線によりデータ通信を行うためのデバイスである。例えば、コンピュータ４００が電力モジュール１３０を実現する場合には、給電ケーブルを介した電気自動車ＥＶとの間の通信や家庭内ネットワークＬを介した通信は、通信Ｉ／Ｆ部４０５が行う。また、コンピュータ４００がエネルギー管理装置１４０を実現する場合には、家庭内ネットワークＬを介した通信や、携帯電話２００とのＢｌｕｅｔｏｏｔｈやＷｉ−Ｆｉ等による無線通信も通信Ｉ／Ｆ部４０５により行う。さらに、コンピュータ４００が携帯電話２００を実現する場合には、エネルギー管理装置１４０との無線通信や、携帯電話網Ｃ及びインターネットＩを介した電力会社サーバＥＣ及び／又は防災センタサーバＤＣＣとの通信も、通信Ｉ／Ｆ部４０５により行う。
【００５２】
記憶部４０７は、例えばＨＤＤ（Ｈａｒｄ  Ｄｉｓｋ  Ｄｒｉｖｅ）やフラッシュメモリ等の不揮発性の記憶媒体である。記憶部４０７は、一般的な情報処理装置としての機能を実現するためのオペレーティングシステム（ＯＳ）やアプリケーション及びデータを記憶する。また記憶部４０７は、プログラム５００を記憶する。前述の通り、コンピュータ４００が電力モジュール１３０を実現する場合には、車両充放電部１３１、車両制御部１３３、緊急時電源回復部１３５、及びバッテリ情報通知部１３７は、プログラム５００により実現可能である。また、コンピュータ４００がエネルギー管理装置１４０を実現する場合には、家庭内機器管理部１４１、バッテリ情報取得部１４３、電力情報通知部１４５も、プログラム５００として実現可能である。さらに、コンピュータ４００が携帯電話２００を実現する場合には、アプリケーションプログラム２１０はプログラム５００として実現可能である。
【００５３】
表示部４０９は、ユーザＵ等の使用者に情報を表示するためのディスプレイ装置である。表示部４０９の具体例としては、例えば液晶ディスプレイや有機ＥＬ（Ｅｌｅｃｔｒｏ−Ｌｕｍｉｎｅｓｃｅｎｃｅ）ディスプレイ等が挙げられる。入力部４１１は、ユーザＵ等の使用者から入力を受け付けるためのデバイスである。入力部４１１の具体例としては、キーボードやマウス、タッチパネル等を挙げることができる。
【００５４】
なお、エネルギー管理装置１４０や電力モジュール１３０は、必ずしも表示部４０９及び入力部４１１を備える必要はない。また、表示部４０９及び入力部４１１は、ＵＳＢ（Ｕｎｉｖｅｒｓａｌ  Ｓｅｒｉａｌ  Ｂｕｓ）やディスプレイポート等の各種インタフェースを介してコンピュータ４００に接続されても良い。
【００５５】
（５  本実施形態の効果）
以上説明したように、本実施形態に係る災害対応システム１では、災害等による停電発生時には、電気自動車ＥＶのバッテリから電力供給を受けることにより家屋内の各機器が動作可能である。また、電気自動車ＥＶのバッテリ残量等のバッテリ情報を含む情報が、電力会社サーバＥＣ及び／又は防災センタサーバＤＣＣに通知されるため、電力会社や防災センタは、家屋にいるユーザＵがどの程度の電力を継続的に使用可能かを認識することができるため、それに応じて救護の優先順位を決めることも可能である。
【００５６】
また、災害発生時には、ルータＲ経由でのインターネットＩへの通信は使用できないことが多いが、携帯電話網Ｃは、基地局が無線で通信するため災害の物理的な影響を受けにくいこと、通常、基地局はバッテリを内蔵していること等から、停電発生時であっても通信可能であることが多い。よって、バッテリ情報を含むユーザＵのステータス情報が、携帯電話２００及び携帯電話網Ｃを介して送信されることにより、電力会社サーバＥＣ及び／又は防災センタサーバＤＣＣにステータス情報が到達する可能性を高まる。さらに、通信回線の利用集中等により携帯電話網Ｃの利用が制限されつつ、一方でルータＲ及びインターネットＩを介した通信回線が利用可能であることも考えられることから、エネルギー管理装置１４０は、携帯電話２００、携帯電話網Ｃを介したバッテリ情報を含む情報の送信のみならず、ルータＲ及びインターネットＩを介した情報の送信を行うことで、電力会社サーバＥＣ及び／又は防災センタサーバＤＣＣにバッテリ情報が到達する可能性がさらに高まる。
【００５７】
さらに、携帯電話２００は、ＧＰＳにより位置情報を取得でき、また、アプリ２１０の入力時にユーザ情報の登録を求めることも容易であるため、これらの情報も含む形で電力会社サーバＥＣ及び／又は防災センタサーバＤＣＣへ通知すれば、電力会社や防災センタは、より詳細な情報に基づいて救護に係る判断をすることが可能である。
【００５８】
（６．  付記事項）
なお、上述の実施形態の構成は、組み合わせたり或いは一部の構成部分を入れ替えたりしてもよい。また、本発明の構成は上述の実施形態のみに限定されるものではなく、本発明の要旨を逸脱しない範囲内において種々変更を加えてもよい。
【００５９】
たとえば、上記実施形態では、携帯電話２００を用いているが、そのかわりに、電話機能を持たないタブレット型のユーザ端末等を用いることも考えられる。
【００６０】
また、ユーザ端末が公衆網である携帯電話網Ｃを介してバッテリ情報を含むステータス情報を送信する形態以外にも、ユーザ端末がルータＲから公衆網であるインターネットＩを介してステータス情報を電力会社サーバ及び／又は防災センタサーバＤＣＣに送信すること等も考えられる。
【符号の説明】
【００６１】
１…災害対応システム、２０…家庭内電力管理システム、１００…家庭内システム、１１０…スマートメータ、１２０…分電盤、１３０…電力モジュール、１３１…車両充放電部、１３３…車両制御部、１３５…緊急時電源回復部、１３７…バッテリ情報通知部、１４０…エネルギー管理装置、１４１…家庭内機器管理部、１４３…バッテリ情報取得部、１４５…電力情報通知部、１４７…設定情報、１５０…家電機器、２００…携帯電話、２１０…アプリケーションプログラム、２１１…電力情報受信部、２１３…位置情報取得部、２１５…ステータス情報通知部、２１７…設定情報、４００…コンピュータ、４０１…制御部、４０３…ＲＡＭ、４０５…通信インタフェース（Ｉ／Ｆ）部、４０７…記憶部、４０９…表示部、４１１…入力部、４１３…バスライン、５００…プログラム、Ｃ…携帯電話網、ＤＣＣ…防災センタサーバ、ＥＣ…電力会社サーバ、ＥＶ…電気自動車、Ｇ…電力供給網、Ｉ…インターネット、Ｌ…家庭内ネットワーク、Ｒ…ルータ
【要約】      （修正有）【課題】電力の継続利用の可否を外部から確認することを可能とする情報処理システム、家庭内電力管理システム、及び情報処理方法を提供する。【解決手段】情報処理システム（災害対応システム１）は、電力供給網からの電力供給の停止に伴い、電力モジュール１３０がバッテリからの給電を受けて家庭内の機器へ電力供給するステップと、電力供給網からの電力供給の停止及び電力モジュールからの電力供給に伴い、エネルギー管理装置１４０がバッテリの残量に関する情報を含むバッテリ情報を電力モジュールから取得するステップと、エネルギー管理装置が、電力供給網からの電力供給の停止に伴い取得したバッテリ情報を無線通信を介してユーザ端末に送信するステップと、ユーザ端末が、自装置の位置情報を取得するステップと、ユーザ端末が、位置情報とバッテリ情報とを含むステータス情報を公衆網を介して外部サーバに送信するステップとを実行する。【選択図】図１【図１】
0006792674.tif 000002
【図２】
0006792674.tif 000003
【図３】
0006792674.tif 000004
【図４】
0006792674.tif 000005